(57)【要約】【課題】  湯上り後における角質の水分量の低下に要する時間を長く延ばすことができる。湯上り後に肌が湿った状態で化粧水などにより肌の手入れを余裕を持って行うことができ、保湿効果を高めて肌をしっとりさせることができる。【解決手段】  空気中の酸素濃度よりも高濃度の酸素を含む酸素富化空気を浴槽１内の浴水Ｗ中に供給する酸素富化空気供給手段２を設ける。酸素富化空気供給手段２による酸素富化空気の浴槽１内の浴水中への供給により浴水中の溶存酸素量を７ｍｌ／Ｌ〜１３ｍｌ／Ｌとする。【選択図】        図１
2006181290.tif 000002
【特許請求の範囲】
【請求項１】
空気中の酸素濃度よりも高濃度の酸素を含む酸素富化空気を浴槽内の浴水中に供給する酸素富化空気供給手段を設け、該酸素富化空気供給手段による酸素富化空気の浴槽内の浴水中への供給により浴水中の溶存酸素量を７ｍｌ／Ｌ〜１３ｍｌ／Ｌとすることを特徴とする浴槽装置。
【請求項２】
前記酸素富化空気供給手段からの酸素富化空気の供給を受けて浴水に酸素富化空気からなる微細気泡を発生する微細気泡発生装置を備えたことを特徴とする請求項１記載の浴槽装置。
【請求項３】
酸素富化空気供給手段から供給される酸素富化空気の酸素濃度が２５％〜４０％であることを特徴とする請求項１又は請求項２記載の浴槽装置。
【発明の詳細な説明】
【技術分野】
【０００１】
本発明は、浴槽内の浴水中における溶存酸素量を通常よりも多くする浴槽装置に関するものである。
【背景技術】
【０００２】
湯上り後の肌が湿った状態で化粧水などにより肌の手入れをすると保湿効果を高め、モイスチャー効果により肌がしっとりすると言われている。
【０００３】
しかしながら、入浴すると一時的に人の皮膚の角質の水分量が増えて肌が湿った状態になるが、入浴することにより、皮膚の表面を覆っていた皮脂が剥がれるので、湯上り後短時間（約１０分〜１３分程度）で角質の水分量が急激に低下して入浴前よりも乾燥した肌となってしまう。このため、通常の入浴においては、湯上り後、短時間のうちに化粧水などによる肌の手入れをしないと、上記保湿効果を高めることができない。
【０００４】
ところが、湯上り後には身体を拭いたり、衣服を着たりするための時間が必要であり、湯上り後、約１０分〜１３分という短時間のうちに化粧水などによる肌の手入れをするのは、きわめて煩わしく、また、上記の短時間では肌の手入れするのに十分な時間ではない。このため、湯上り後、約１０分〜１３分という短時間のうちに化粧水などによる肌の手入れをする人は少なく、湯上り後、ある程度時間が経過した後に化粧水などによる肌の手入れをする人が多く、効果的に保湿効果を高めることができないという問題があった。
【０００５】
また、近年、浴槽に微細気泡発生装置を設け、浴槽内から吸い込んだ浴水に空気を溶解させると共に空気を溶解した浴水を浴槽内に吐出して浴槽内で微細気泡を発生するようにした微細気泡発生浴槽装置が提供されている（例えば、特許文献１参照）。
【０００６】
この特許文献１に示された従来例にあっては、空気が微細気泡となって浴水中に供給されるが、単に大気中の空気（酸素濃度２１％）を浴水に溶解させて微細気泡を発生するだけのため、浴水中における溶存酸素量は微細気泡を発生させない場合と殆ど変わらず、また、微細気泡の発生を長時間続けても浴水中の溶存酸素量は殆ど変化しない。
【０００７】
ところで、浴水中の溶存酸素量が少ないと浴水の酸素分圧が低く、浸透圧により浴水中の酸素が角質内に供給されにくい。このため、浴水中の溶存酸素が角質内天然保湿因子（ＮＭＦ）に作用せず、水分保持能力を向上させることがない。
【０００８】
したがって、単に大気中の空気（酸素濃度２１％）を浴水に溶解させて微細気泡を発生させるようにした浴槽装置においても湯上り後短時間（約１０分〜１３分程度）で角質の水分量が急激に低下して乾燥した肌となってしまって、前述の普通の浴槽装置と同様の問題がある。また、単に大気中の空気（酸素濃度２１％）を浴水に溶解させて微細気泡を発生するだけのためにさほど快適度が向上せず、また心肺機能の負担軽減にならない。
【特許文献１】特開２００２−３３０８８５号公報
【発明の開示】
【発明が解決しようとする課題】
【０００９】
本発明は上記の従来の問題点に鑑みて発明したものであって、湯上り後における角質の水分量の低下に要する時間を従来より長く延ばすことができて、湯上り後に肌が湿った状態で化粧水などにより肌の手入れを余裕を持って行うことができ、保湿効果を高めて肌をしっとりさせ、化粧ののりを良くすることができ、また、入浴中に皮膚呼吸して入浴中の快適度を上げたり心肺機能の負担軽減を図ったりできる浴槽装置を提供することを課題とするものである。
【課題を解決するための手段】
【００１０】
上記課題を解決するために本発明の浴槽装置は、空気中の酸素濃度よりも高濃度の酸素を含む酸素富化空気を浴槽１内の浴水Ｗ中に供給する酸素富化空気供給手段２を設け、該酸素富化空気供給手段２による酸素富化空気の浴槽１内の浴水中への供給により浴水中の溶存酸素量を７ｍｌ／Ｌ〜１３ｍｌ／Ｌとすることを特徴とするものである。
【００１１】
このような構成とすることで、通常の浴槽１内の浴水Ｗに比べて浴槽１内の浴水Ｗ中の溶存酸素濃度が高くなり、人の皮膚の角質の酸素分圧より浴水Ｗの酸素分圧が高くなり、身体の浴水Ｗ中の部位において浸透圧が生じて水分浸透が促進され、また高濃度の溶存酸素が角質内天然保湿因子（ＮＭＦ）に作用し、水分保持能力を向上させる。また高濃度の溶存酸素が角質内の細胞間脂質に作用し、水分保持能力を向上させる。これらにより湯上り後における角質の水分量の低下に要する時間を長く延ばすことができて、湯上り後に肌が湿った状態で化粧水などにより肌の手入れを余裕を持って行うことができ、保湿効果を高めて肌をしっとりさせ、化粧ののりを良くすることができる。また、入浴中に皮膚呼吸ができるようになって入浴の快適度を上げると共に心肺機能の負担を軽減できる。
【００１２】
また、前記酸素富化空気供給手段２からの酸素富化空気の供給を受けて浴水に酸素富化空気からなる微細気泡を発生する微細気泡発生装置３を備えることが好ましい。
【００１３】
このように、酸素富化空気を浴槽１の浴水Ｗ中に微細気泡として供給することで、酸素富化空気の微細気泡が浴槽１内の浴水Ｗ中に広く分散するとともに長く滞留することとなり、浴槽１内の浴水Ｗ中の溶存酸素量がまんべんなく多くなり、簡単に浴水Ｗの溶存酸素量を目的とする高濃度の溶存酸素量にすることができる。更に、身体の浴槽１内の浴水Ｗ中の部位がまんべんなく微細気泡により包まれた状態となり、微細気泡がお湯のぬくもりをやさしく伝え、身体の芯まで暖まり、湯冷めし難くなる。
【００１４】
また、酸素富化空気供給手段２から供給される酸素富化空気の酸素濃度が２５％〜４０％であることが好ましい。
【００１５】
すなわち、酸素富化空気供給手段２から供給される酸素富化空気の酸素濃度が２５％に満たないと、これを浴水Ｗに供給しても通常の一般の浴槽１内の浴水Ｗの溶存酸素量と殆どかわらず、目的とする溶存酸素量にすることができない。また、酸素富化空気供給手段２から供給される酸素富化空気の酸素濃度が４０％を超えると、浴水Ｗに溶けきらずに水面から浴室６空間内に放出される酸素富化空気の量が多くなり過ぎてしまい、浴室６空間内の酸素濃度が必要以上に高くなって身体に対する負担が大きくて好ましくない。これに対し上記のように酸素富化空気供給手段２から供給される酸素富化空気の酸素濃度が２５％〜４０％とすることで、浴槽１内の浴水Ｗ中の溶存酸素量を目的とする溶存酸素量できると共に浴室６内の酸素濃度が必要以上に高くならないようにできる。
【発明の効果】
【００１６】
本発明は上記のように、湯上り後における角質の水分量の低下に要する時間を長く延ばすことができて、湯上り後に肌が湿った状態で化粧水などにより肌の手入れを余裕を持って行うことができ、保湿効果を高めて肌をしっとりさせ、化粧ののりを良くすることができるという効果があり、また、入浴中に皮膚呼吸して入浴中の快適度を上げたり心肺機能の負担軽減を図ることができるという効果がある。
【発明を実施するための最良の形態】
【００１７】
以下、本発明を添付図面に示す実施形態に基いて説明する。
【００１８】
浴槽１内の浴水Ｗ中に空気中の酸素濃度よりも高濃度の酸素を含む酸素富化空気を浴槽１内の浴水Ｗ中に供給する酸素富化空気供給手段２を設けてある。酸素富化空気供給手段２としては、例えば、酸素富化装置２ａや酸素ボンベ等を挙げることができる。以下の説明では酸素富化空気供給手段２として酸素富化装置２ａを用いた例で説明する。
【００１９】
また、以下の実施形態では、酸素富化装置２ａから供給された酸素富化空気を微細気泡発生装置３により酸素富化空気からなる微細気泡として浴水Ｗ中に供給するようにしている。
【００２０】
そして、本発明においては、酸素富化装置２ａから浴槽１内の浴水Ｗに酸素富化空気を供給することで、浴槽１内の浴水Ｗ中の溶存酸素量を７ｍｌ／Ｌ〜１３ｍｌ／Ｌとするようになっている。
【００２１】
図１に示すように、ユニットバスルームからなる浴室６内の底部には防水床パン５を設けてあり、防水床パン５には浴槽１を設置してある。この浴槽１には浴槽１内から吸い込んだ浴水Ｗに空気を溶解させると共に空気を溶解させた浴水Ｗを浴槽１内に吐出することで微細気泡を発生する微細気泡発生装置３を設けてある。
【００２２】
微細気泡発生装置３は、図２に示すように、吸入口７と吐出口２３と循環管路８とエジェクター１０と循環ポンプ１１と溶解タンク１２とで主体が構成されている。吸入口７は浴槽１の底部に装着してあり、浴槽１内の浴水Ｗを吸入するようになっている。吐出口２３は浴槽１の底部に装着してあり、吐出口２３から浴槽１内に微細気泡を含んだ浴水Ｗを吐出するようになっている。この吸入口７と吐出口２３とは浴槽１外に配管した循環管路８にて連通させてあり、循環管路８の途中には循環ポンプ１１を配置してあり、循環ポンプ１１を駆動することにより浴水Ｗを吸入口７から吸入して吐出口２３から吐出させるようになっている。また循環管路８には吸入口７と循環ポンプ１１との間に位置するようにエジェクター１０を設けてあり、循環ポンプ１１の駆動により浴水Ｗがエジェクター１０を通るとき空気を吸入して浴水Ｗに空気を混入するようになっている。循環ポンプ１１と吐出口２３との間で循環管路８には溶解タンク１２を配置してあり、エジェクター１０で混入した空気を浴水Ｗに溶解させるようになっている。この溶解タンク１２内では蛇行した経路に浴水Ｗを通過させるなどして浴水Ｗに空気を溶解させるようになっている。吐出口２３は空気が溶解した浴水Ｗを減圧して吐出させることで溶解した空気が微細気泡となり、微細気泡を含んだ浴水Ｗを吐出させるようになっており、浴水Ｗが所謂ミルキー状になって入浴することができるようになっている。
【００２３】
また浴室６の天井の上に酸素富化空気供給手段２である酸素富化装置２ａを設置してある。この酸素富化装置２ａは酸素富化膜と真空ポンプとで主体が構成されており、真空ポンプで大気中の空気を取り入れて有機高分子の平膜のような酸素富化膜に空気を通すことで酸素が富化された空気を得ることができるようになっている。空気を酸素富化膜に通すとき、酸素と窒素とは減速するが、酸素は窒素の約２．５倍の速度で通過する。これにより通常の大気中の空気は窒素が７８％、酸素が２１％であったのが、酸素富化膜によって窒素が６９％、酸素が３０％の空気となり、酸素富化空気が得られる。
【００２４】
この酸素富化装置２ａで得られた酸素富化空気は空気供給経路４にて微細気泡発生装置３のエジェクター１０に供給されるようになっている。
【００２５】
また浴室６の天井上には制御部１９を設けてある。また浴槽１のフランジ１８には微細気泡発生装置３を操作する操作スイッチ２０を設けてある。
【００２６】
しかして、酸素富化装置２ａを駆動して微細気泡発生装置３の循環ポンプ１１を駆動すると、図２に示すように吸入口７から浴槽１内の浴水Ｗが吸い込まれ、この浴水Ｗがエジェクター１０を通過することで酸素富化空気が浴水Ｗに混入され、この酸素富化空気が混入された浴水Ｗが溶解タンク１２に送られることで浴水Ｗに酸素富化空気が溶解し、酸素富化空気が溶解した浴水Ｗが吐出口２３から減圧して吐出させられることにより、高酸素濃度の微細気泡を含んだ浴水Ｗがミルキー状に吐出される。
【００２７】
上記のように酸素富化装置２ａで発生した酸素富化空気を微細気泡発生装置３のエジェクター１０に供給することで酸素富化空気の微細気泡を発生することができるが、この微細気泡の気泡径は２００ｎｍ〜１００μｍとすることが望ましい。ところで、微細気泡の気泡径と気泡の上昇速度の関係を示したのが図９のグラフである。このグラフは横軸が気泡径（μｍ）で縦軸が上昇速度（ｍ／ｓ）であり、気泡径が小さい程気泡の上昇速度が遅いことがわかる。また微細気泡の気泡径と気泡の上昇時間の関係を示したのが図１０のグラフである。このグラフは横軸が気泡径（μｍ）で縦軸が３０ｃｍ上昇時間（分）であり、気泡径が小さい程上昇時間が遅いことがわかる。このことから、気泡径が小さい程、浴槽１内に滞留する時間が長くなり、酸素富化空気の酸素が浴水Ｗに多く溶解することとなる。
【００２８】
微細気泡の気泡径は小さくする程、浴槽１内への滞留時間が長くて溶解する酸素の量が多くなるのであるが、２００ｎｍ以下の気泡を実現するためには浴水Ｗに電解質を投与する必要があり、不便且つ機器の腐食等を配慮する必要がある。このため気泡径の下限を２００ｎｍとしている。また浴槽１内に微細気泡を吐出する吐出口２３の位置と浴槽１の水面との高さを３０ｃｍとした場合、浴水Ｗへの酸素の溶解に必要な時間である１分を満足するには１００μｍ以下の気泡径が必要である。これ以上の気泡径であると、泡がそのまま上昇して溶解には寄与しない。このために気泡径の上限を１００μｍとしている。さらに気泡径が７０μｍ以下であると、２分以上滞留するのでより溶解効果が得られる。
【００２９】
また微細気泡を発生しているときの運転時間と浴水Ｗへの酸素溶存量の関係を示すのが図７のグラフである。このグラフは横軸が運転時間（分）であり、縦軸が溶存酸素量（ｍｌ／Ｌ）である。これは浴槽１内の湯温を約４０．５℃とし、湯の量を２００リットルとし、０．５リットル／ｍｉｎの空気を微細気泡発生装置３に供給して微細気泡を発生させて酸素溶存量を測定したものである。このとき、微細気泡の気泡径の分布は図１１のグラフの通りである。このグラフで横軸に気泡径（μｍ）、縦軸に頻度（％）を示す。
【００３０】
図７のグラフで符号ａに示す線は室温２４．４℃で、酸素濃度３０％の酸素富化空気の微細気泡を形成した場合を示し、符号ｂに示す線は室温２７．０℃で酸素濃度３０％の酸素富化空気の微細気泡を形成した場合を示し、符号ｃに示す線は室温２４．４℃、浴水Ｗの湯温度が４０．５℃で、酸素富化空気を供給せず且つ微細気泡も発生させない通常の浴槽における浴水Ｗにおける溶存酸素量を示す。この図７から明らかなように、酸素富化空気を供給せず且つ微細気泡も発生させない通常の浴槽における浴水Ｗでは溶存酸素量は約６．３ｍｌ／Ｌであり、時間が経過しても変化は見られない。これに対して酸素富化空気を浴水Ｗ中に供給するものでは、酸素富化空気を浴水Ｗ中に供給して時間が経過すると共に溶存酸素量が徐々に増えていき、符号ａで示す線で示される例では約２分３０秒程度で溶存酸素量が７ｍｌ／Ｌを超え、符号ｂで示すものは約６分で溶存酸素量が７ｍｌ／Ｌを超えることがわかる。
【００３１】
図８のグラフは、湯上り後における人の皮膚の角質の水分量変化を示すグラフである。図８において符号ｄで示す線は、図７において、符号ａの線で示される室温２４．４℃、湯温度４０．５℃で、酸素濃度３０％の酸素富化空気の微細気泡を形成した浴水Ｗ中に、被験者（成人女性）が図７の５分から１５分の間の１０分間（つまり浴水Ｗ中の溶存酸素量が約７．５ｍｌ／Ｌから約９．２ｍｌ／Ｌとなるまでの１０分間）だけ入浴し、入浴終了後における角質の水分量変化（実験をした被験者は１６名でその平均変化量）を示している。また、図８において符号ｅで示す線は、上記同じ１６名の被験者が、それぞれ別の日のほぼ同じ時刻に室温２４．４℃、湯温度４０．５℃で且つ酸素富化空気を供給しない通常の浴水Ｗ中に１０分間だけ入浴し、入浴終了後における角質の水分量変化（１６名の被験者の平均変化量）を示している。なお、被験者はいずれもやや乾燥肌の人であり、入浴前の角質水分量は４０μｓであった。
【００３２】
この図８のグラフから明らかなように、符号ｅに示す線で表される通常の浴水Ｗ（浴水Ｗの溶存酸素量が約６．３ｍｌ／Ｌ）に入浴した場合は、角質水分量が湯上り直後２００μｍであったのが、湯上り後、約１２分で５０μｍに低下して乾燥した肌となったが、符号ｄに示す線で表される酸素富化空気を浴水Ｗに供給して浴水Ｗ中の溶存酸素量が約７．５ｍｌ／Ｌから約９．２ｍｌ／Ｌとなるまでの１０分間入浴した場合は、角質水分量が湯上り直後２００μｍから５０μｍに低下するのに約３２分かかり、浴水中の溶存酸素量が多い方が角質水分量の低下に要する時間を長く延ばすことができることが判明する。
【００３３】
このように、浴水中の溶存酸素量が多い方が角質水分量の低下に要する時間を長く延ばすことができるので、湯上り後に肌の湿った状態を長く維持できて、化粧水などにより肌の手入れを余裕を持って行うことができるものであり、保湿効果を高めて肌をしっとりさせ、化粧ののりを良くすることができることになる。
【００３４】
上記のように、普通の浴水に比べて溶存酸素量が高い浴水中に入浴した場合に角質の水分保持能力が向上して角質水分量の低下に要する時間が長くなるのは以下の理由によると考えられている。すなわち、浴槽１内の浴水Ｗ中の溶存酸素濃度が高くなると、人の皮膚の角質の酸素分圧より浴水Ｗの酸素分圧が高くなり、身体の浴水Ｗ中の部位において浸透圧が生じて水分浸透が促進され、また高濃度の溶存酸素が角質内天然保湿因子（ＮＭＦ）に作用し、水分保持能力を向上させ、また高濃度の溶存酸素が角質内の細胞間脂質に作用し、水分保持能力を向上させる。これらの理由により、湯上り後における角質の水分量の低下に要する時間を長く延ばすことができると考えられる。
【００３５】
ここで、浴槽１の浴水Ｗ中の溶存酸素量が７ｍｌ／Ｌに満たないと、角質水分量の低下に要する時間が普通の浴水Ｗの場合とさほど変わらず、湯上り後に肌の湿った状態を長く維持できなくて、余裕を持って肌が湿った状態で化粧水などにより肌の手入れができないので好ましくない。また、浴槽１の浴水Ｗ中の溶存酸素量が１３ｍｌ／Ｌを超えると、浴水面から浴室空間内に多量の富化酸素が放出され、浴室空間内における酸素濃度が必要以上に高くなって、入浴している人の身体に対する負担が大きくて好ましくない。このため、本発明においては、浴水中の溶存酸素量を７ｍｌ／Ｌ〜１３ｍｌ／Ｌ、好ましくは７．５ｍｌ／Ｌ〜１２ｍｌ／Ｌとしている。
【００３６】
浴水中の溶存酸素量を７ｍｌ／Ｌ〜１３ｍｌ／Ｌにするに当たっては、上記した実施形態では、酸素富化空気供給手段２や微細気泡発生装置３の能力、浴槽１内に張る浴水の湯量、湯温、室温等と、酸素富化空気の供給量、供給時間等との関係をあらかじめ実験により求め、これに基づいて、浴水Ｗを７ｍｌ／Ｌ〜１３ｍｌ／Ｌの範囲中における目的とする溶存酸素量とするための浴水Ｗ中への酸素富化空気の供給量、供給時間等を求め、これにより、酸素富化空気供給手段２、微細気泡発生装置３の運転時間が決定される。したがって、溶存酸素量を上記７ｍｌ／Ｌ〜１３ｍｌ／Ｌという範囲内において目的とする溶存酸素量にするに当たっては、上記に基づいて酸素富化空気供給手段２、微細気泡発生装置３の運転時間を制御部１９により制御することで溶存酸素量を上記７ｍｌ／Ｌ〜１３ｍｌ／Ｌという範囲内において目的とする溶存酸素量にすることができる。
【００３７】
また、酸素富化空気供給手段２から供給される酸素富化空気の酸素濃度は２５％〜４０％とする。すなわち、酸素富化空気供給手段２から供給される酸素富化空気の酸素濃度が２５％に満たないと、これを浴水Ｗに供給しても通常の一般の浴槽１内の浴水Ｗの溶存酸素量と殆どかわらず、目的とする溶存酸素量にすることができないので好ましくない。また、酸素富化空気供給手段２から供給される酸素富化空気の酸素濃度が４０％を超えると、浴水Ｗに溶け切らずに水面から浴室６空間内に放出される酸素富化空気の量が多くなり、浴室６空間内の酸素濃度が必要以上に高くなって身体に対する負担が大きくて好ましくない。
【００３８】
ところで、上記実施形態においては、酸素富化空気を浴槽１の浴水Ｗ中に供給するに当たって、微細気泡として浴水Ｗ中に供給するので、浴槽１内に入って居る入浴者が微細気泡で包まれて温熱効果が得られ、また酸素富化空気の微細気泡で包まれるために入浴者の皮膚呼吸を促進できる。これにより、入浴中の快適度を上昇できると共に心肺機能の負担を軽減できる。また疲労回復（筋肉中の乳酸が酸素により分解される作用が促進される）されると共に皮膚の活性化がされ、さらに肌の保湿性が向上される。
【００３９】
なお、酸素富化装置２ａから供給される酸素富化空気の流量は微細気泡発生装置３で使用される流量より多くなるように設定し、余剰の酸素富化空気を浴室６内に供給するようにしてもよい。これにより浴室６内の空気の酸素濃度が上がり、肺呼吸を楽にして快適に入浴できる。
【００４０】
また、本実施形態において、酸素富化空気供給手段２から供給される酸素富化空気を浴槽１内の浴水Ｗに供給するのに加え、酸素富化空気供給手段２から供給される酸素富化空気の一部を浴室６空間内に供給するようにしてもよい。この場合、浴室６内の空気の酸素濃度が上がり、肺呼吸を楽にして快適に入浴することが可能となる。
【００４１】
図３乃至図６には本発明の他の実施形態を示している。この実施形態では前述のように酸素富化空気供給手段２から供給された酸素富化空気を微細気泡として浴槽１の浴水Ｗ中に供給する微細気泡発生装置３に加えて、更に浴槽１内から吸い込んだ浴水Ｗに空気を巻き込むと共に空気を巻き込んだ気泡入りの浴水Ｗを浴槽１内に噴出するジェットバス装置２２を設けたものである。
【００４２】
ジェットバス装置２２は吸い込み口１３と噴出口１４と循環管路９とジェットポンプ１７と空気取り込み口２４と空気供給管路１６とで主体が構成されている。浴槽１の側壁には吸い込み口１３を装着してあり、浴槽１内の浴水Ｗを吸い込むようになっている。また浴槽１の側壁には噴出口１４を設けてあり、噴出口１４から比較的大きな気泡を含んだ浴水Ｗを噴出するようになっている。吸い込み口１３と噴出口１４との間は浴槽１外に配管した循環管路９にて連通させてあり、循環管路９の途中にはジェットポンプ１７を配置してあり、ジェットポンプ１７を駆動することにより吸い込み口１４から吸い込んだ浴水Ｗを噴出口１４から強く噴出するようになっている。浴槽１のフランジ１８には空気取り込み口２４を設けてあり、この空気取り込み口２４と噴出口１４とを連通させてある。そして噴出口１４にはエジェクター部を設けてあり、噴出口１４から浴水Ｗを噴出することで空気取り込み口２４から取り込んだ空気を浴水Ｗに巻き込み、比較的大きな気泡を含んだ浴水Ｗを噴出するようになっている。また、図３に示すように、浴槽１のフランジ１８には微細気泡発生装置３の操作スイッチ２０に加え、ジェットバス装置２２の操作スイッチ２１を設けている。
【００４３】
ここで、図５、図６に示すように酸素富化装置２ａで得られた酸素富化空気を供給する空気供給経路４を２つの分岐経路４ａ，４ｂに分岐し、一方の分岐経路４ａを微細気泡発生装置３のエジェクター１０に連通させ、他方の分岐経路４ｂを空気取り込み口２４に連通させるようにしてもよい。この場合、酸素富化装置２ａで得られる酸素富化空気の量が例えば２リットル／ｍｉｎであり、微細気泡発生装置３のエジェクター１０で取り入れられる酸素富化空気が０．５リットル／ｍｉｎであると、空気取り込み口２４に１．５リットル／ｍｉｎの酸素富化空気が供給されるようにする。したがって、図５のようにジェットバス装置２２を運転せず、微細気泡発生装置３のみを運転する場合、空気取り込み口２４から浴室６空間内に１．５リットル／ｍｉｎの酸素富化空気が供給され、微細気泡発生装置３側に０．５リットル／ｍｉｎの酸素富化空気が供給されて微細気泡となって浴槽１内の浴水Ｗ中に供給される。また、微細気泡発生装置３を運転せず、ジェットバス装置２２を運転すると、空気取り込み口２４から浴室６空間内の空気が吸い込まれると共に２リットル／ｍｉｎの空気が空気取り込み口２４側に供給されて上記空気取り込み口２４と共に噴出口１４にはエジェクター部に吸い込まれ、噴出口１４から比較的大きな気泡を含んだ浴水Ｗを噴出し、入浴者をジェット水でマッサージすることができる。この際、空気取り込み口２４から空気を取り込むとき、空気取り込み口２４に酸素富化空気が供給されているために酸素富化空気を含んだ気泡が噴出される。これにより酸素富化空気が入浴者の顔面付近に漂い、肺呼吸を楽にして快適に入浴することができる。
【００４４】
この場合、ジェットバス装置２２で供給すると気泡が比較的大きいため、酸素富化空気は浴槽１内の浴水Ｗ中における滞留時間がきわめて短く、ジェットバス装置２２の運転のみでは浴水Ｗ中の溶存酸素量を上記７ｍｌ／Ｌ〜１３ｍｌ／Ｌにすることは難しい。したがって、ジェットバス装置２２の運転の後で、微細気泡発生装置３の運転を行ったり、あるいは、微細気泡発生装置３の運転を行った後にジェットバス装置２２の運転をおこなったり、あるいは、微細気泡発生装置３の運転と、ジェットバス装置２２の運転を交互にしたり、あるいは、同時にしたりすることで、浴槽１内の浴水Ｗの溶存酸素量を７ｍｌ／Ｌ〜１３ｍｌ／Ｌにするとよい。
【図面の簡単な説明】
【００４５】
【図１】本発明の実施の形態の一例を示す一部切欠斜視図である。
【図２】同上の微細気泡発生装置の動作を説明する説明図である。
【図３】本発明の他の実施の形態の一例を示す一部切欠斜視図である。
【図４】同上の浴槽部分の斜視図である。
【図５】同上の微細気泡発生装置の動作を説明する説明図である。
【図６】同上のジェットバス装置の動作を説明する説明図である。
【図７】浴水中に酸素富化空気を供給した場合と酸素富化空気を供給しない普通の浴水中における溶存酸素量と時間との関係を示すグラフである。
【図８】浴水中に酸素富化空気を供給して溶存酸素量が多くなった浴水に入浴した場合と酸素富化空気を供給しない普通の浴水に入浴した場合の湯上り後における角質の水分量変化を示すグラフである。
【図９】微細気泡の気泡径と気泡の上昇速度の関係を示すグラフである。
【図１０】微細気泡の気泡径と気泡の上昇時間の関係を示すグラフである。
【図１１】微細気泡の気泡径の分布を示すグラフである。
【符号の説明】
【００４６】
１  浴槽
２  酸素富化空気供給手段
３  微細気泡発生装置
【図１】
2006181290.tif 000003
【図２】
2006181290.tif 000004
【図３】
2006181290.tif 000005
【図４】
2006181290.tif 000006
【図５】
2006181290.tif 000007
【図６】
2006181290.tif 000008
【図７】
2006181290.tif 000009
【図８】
2006181290.tif 000010
【図９】
2006181290.tif 000011
【図１０】
2006181290.tif 000012
【図１１】
2006181290.tif 000013